(57)【要約】      （修正有）【課題】留め具の掛け間違い防止機能を高めた衣服を提供する。【解決手段】明き部分を一対の雄スナップ部１ａ〜９ａと雌スナップ部１ｂ〜９ｂを有する複数のスナップボタンを用いて開閉可能に留められるベビー用衣服Ａであって、スナップボタンは胸元から内股部にかけて配置される複数の胴部スナップボタンと複数の内股部スナップボタンとからなり、スナップボタンの色を全て異色になるように配置し且つ一対の雄スナップ部１ａ〜９ａと雌スナップ部１ｂ〜９ｂの色を同色にする。【選択図】図１
0003191885.tif 000002
【実用新案登録請求の範囲】
【請求項１】
明き部分を一対の係止手段からなる複数の留め具を用いて開閉可能に留められる衣服であって、前記留め具の色を全て異色になるように配置し且つ一対の係止手段の色を同色にすることにより留め具の掛け間違い防止機能を高めたことを特徴とする衣服。
【請求項２】
明き部分を一対の雄スナップ部と雌スナップ部を有する複数のスナップボタンを用いて開閉可能に留められるベビー用衣服であって、前記スナップボタンは胸元から内股部にかけて配置される複数の胴部スナップボタンと複数の内股部スナップボタンとからなり、前記スナップボタンの色を全て異色になるように配置し且つ一対の雄スナップ部と雌スナップ部の色を同色にすることにより留め具の掛け間違い防止機能を高めたことを特徴とする衣服。
【考案の詳細な説明】
【技術分野】
【０００１】
本考案は、介護者が衣服を着脱する際に留め具の掛け間違いを防止し、素早く正確に留めることができる衣服に関する。
【背景技術】
【０００２】
ベビー又は自力で体位変換できない者の衣服（下着含む）については、着脱を容易にするため、前開きのものがほとんどであり、足の部分を二つに分けてそれを留め具（ボタン・面ファスナー含む）を使用することにより、保温性に優れ且つ体動に対する機能性の高い上下一体式の所謂カバーオールと呼ばれる衣服が重宝されている。
しかし、明き部分に設置された留め具が多数存在すること及びその留め具の形状が同じであることに起因して、留め具の掛け間違いが頻繁に起こり、介護者の手を煩わせるという問題を有していた。
例えば、従来のスナップボタン（同色使用）を用いて開閉可能に留められるベビー用衣服を着用したベビーのオムツを取り替える際に、寒い日などはできる限り素早く行うことが望ましいが、ベビーは絶えず手足を動かしていることが多いので、スナップボタンの掛け間違いを起こしやすい。
【０００３】
従来、留め具の留め間違いを起こりにくくした衣服の例として、特開２００４−１３７６１６号公報（特許文献１）には、一見、一般の衣服と同じものでありながら、ボタンの留め間違いが起こりにくく、また高齢者や身体障害者など、手指の動作に不具合のある人でもボタンの掛け留めが容易にできる衣服を提供することを目的とし、明き部分を留め具を用いて複数箇所で掛け留めて着用する仕様の衣服であって、明き部分に沿って設置される留め具が、異種の複数の留め具を使用し、かつ隣り合う留め具どうしが異種のものとなるように配置されたものを含むことを特徴とする「衣服」が提案されている。
【０００４】
また、洋服のどのボタンとどのボタンホールが対応するのかを明瞭にすることにより、幼児でもボタンを正しくかけられるようにした衣服の例として、特開平９−２２８１１４号公報（特許文献２）には、ボタンとそれに対応するボタンホールの周囲を同色にする「ボタンとボタンホールに色彩を施した子供服」が提案されている。
【先行技術文献】
【特許文献】
【０００５】
【特許文献１】特開２００４−１３７６１６号公報
【特許文献２】特開平９−２２８１１４号公報
【考案の概要】
【考案が解決しようとする課題】
【０００６】
本考案は、介護者が衣服を着脱する際に留め具の掛け間違いを防止し、介護者の手間を省いて素早く正確に留めることができるように、留め具の掛け間違い防止機能を高めた衣服を提供することを目的とする。
【課題を解決するための手段】
【０００７】
上記の課題を解決するために、請求項１に記載の考案は、明き部分を一対の係止手段からなる複数の留め具を用いて開閉可能に留められる衣服であって、前記留め具の色を全て異色になるように配置し且つ一対の係止手段の色を同色にすることにより留め具の掛け間違い防止機能を高めたことを特徴とする。
【０００８】
また、請求項２に記載の考案は、明き部分を一対の雄スナップ部材と雌スナップ部材を有する複数のスナップボタンを用いて開閉可能に留められるベビー用衣服であって、前記スナップボタンは胸元から内股部にかけて配置される複数の胴部スナップボタンと複数の内股部スナップボタンとからなり、前記スナップボタンの色を全て異色になるように配置し且つ一対の雄スナップ部材と雌スナップ部材の色を同色にすることにより留め具の掛け間違い防止機能を高めたことを特徴とする。
【考案の効果】
【０００９】
以上のように、本考案にかかる留め具の掛け間違い防止機能を高めた衣服によれば、複数の留め具の色を全て異色になるように配置することにより、その順番を一目で簡単に識別することができる。また、一対の係止手段の色を同色にすることにより、どの部分からでも間違えることなく留め具を係止することができる。
【図面の簡単な説明】
【００１０】
【図１】本考案にかかるベビー用衣服の一例を示す正面図である。
【図２】スナップボタンの一例を示す説明図である。
【考案を実施するための形態】
【００１１】
以下、本考案の実施の形態について図面を参酌しながら説明する。本考案の留め具の掛け間違い防止機能を高めた衣服は、ベビー又は自力で体位変換できない者の衣服（下着含む）について使用できる。また、留め具の具体的な構成については、以下の実施例に限定されるものではなく、使用状況によって適宜変更することができる。
【００１２】
図１は、本考案にかかるベビー用衣服の一例を示す正面図である。ベビー用衣服Ａは、明き部分を一対のスナップボタン（雄スナップ部）１ａ〜９ａとスナップボタン（雌スナップ部）１ｂ〜９ｂとからなる合計９個のスナップボタンを用いて開閉可能に留められる。
【００１３】
図１に示すように、スナップボタンは胸元から内股部にかけて配置される３個の胴部スナップボタン（１〜３）と６個の内股部スナップボタン（４〜９）とからなり、９個のスナップボタン（１〜９）の色を全て異色になるように配置している。
【００１４】
各スナップボタン（１〜９）は、図２に示すように、固定部材１０と貫通孔を有する雄スナップ部材１１と、固定部材１２と貫通孔を有する雌スナップ部材１３から構成される。その一対の構成部材（固定部材１０、雄スナップ部材１１、固定部材１２、雌スナップ部材１３）の色は同色としている。
【００１５】
上記のスナップボタンは、固定部材１０、１２を生地に貫通させるとともに、雄スナップ部材１１、雌スナップ部材１３の貫通孔に挿入させて先端部を変形させることで生地を挟んだ状態で取り付けられる。なお、スナップボタンの構成は、図示されるものに限定されず、固定部材１０、１２を使用せずに雄スナップ部材１１と雌スナップ部材１３を生地に縫いつけるタイプのスナップボタンを採用してもよい。この場合、雄スナップ部材１１と雌スナップ部材１３の色は同色とする。
【００１６】
上述したように、スナップボタン（１〜９）は全て異色に形成されているため、スナップボタン（１〜９）を嵌め合わせる際にその順番を一目で簡単に識別することができる。また、一対のスナップボタン（雄スナップ部）１ａ〜９ａとスナップボタン（雌スナップ部）１ｂ〜９ｂの色は同色としているため、どの部分からでも間違えることなく留め具を係止することができる。
【００１７】
また、上記実施例では、留め具としてスナップボタンについて説明したが、それ以外に面ファスナーや紐等の一対の係止手段を使用し、上記と同様な色使いとしてもよい。
【符号の説明】
【００１８】
Ａ  ベビー用衣服
１ａ〜９ａ  スナップボタン（雄スナップ部）
１ｂ〜９ｂ  スナップボタン（雌スナップ部）
１０  固定部材
１１  雄スナップ部材
１２  固定部材
１３  雌スナップ部材
【図１】
0003191885.tif 000003
【図２】
0003191885.tif 000004